(57)【要約】【課題】  データの改ざんを防止することが可能な情報記録再生装置を提供する。【解決手段】  情報記録媒体１０に記憶されている情報を読み出す、移動方向の前方後方にそれぞれ位置する２つのリードヘッド２１，２２と、各リードヘッド２１，２２からの出力の和信号を生成する演算手段３０と、演算手段３０によって生成される和信号が所要の信号の場合に情報記録媒体１０にデータを記憶するライトヘッド２３とを備える。【選択図】      図１
2005173883.tif 000002
【特許請求の範囲】
【請求項１】
情報記録媒体に記憶されている情報を読み出す、移動方向の前方後方にそれぞれ位置する２つのリードヘッドと、
前記各リードヘッドからの出力の和信号を生成する演算手段と、
前記演算手段によって生成される和信号が所要の信号の場合に前記情報記録媒体にデータを記憶するライトヘッドとを備える情報記録再生装置。
【発明の詳細な説明】
【技術分野】
【０００１】
本発明は、情報記録再生装置に関し、特に、データの改ざん・消去を防止する情報記録再生装置に関する。
【背景技術】
【０００２】
従来、データの改ざんを防止する通信ユニットが、特許文献１に記載されている。
【０００３】
特許文献１に記載されている通信ユニットは、データを送受信するのに先立って、ネットワーク接続されている他の通信ユニットとの間で、データを暗号化するための公開キーを交換するとともに、データの受信時には初回の当該データの受信前に前記他の通信ユニットに対して秘匿性が保持されるルートを通じて前記データに付加させるパスワードを送り、かつ当該他の通信ユニットに対して送信対象のデータに前記パスワードを付加してから自己の公開キーを用いて暗号化してなる暗号化データを作成するように促し、実際に当該他の通信ユニットから送信されてきた前記暗号化データを自己の公開キーに対応する秘密キーを用いて復号化を行い、データの送信時には当該送信前に前記他の通信ユニットから秘匿性が保持されるルートを通じて送信されたパスワードを付加した送信対象のデータを当該他の通信ユニットの公開キーを用いて暗号化することによって作成した暗号化データを前記他の通信ユニットに対して送信するものである。
【０００４】
【特許文献１】特願２００３−１７２６３４
【発明の開示】
【発明が解決しようとする課題】
【０００５】
しかし、通信ユニットのみならず、更なる、データの改ざんを防止することが可能な装置が要求されており、本発明を案出するに至った。
【課題を解決するための手段】
【０００６】
上記課題を解決するために、本発明の情報記録再生装置は、情報記録媒体に記憶されている情報を読み出す、移動方向の前方後方にそれぞれ位置する２つのリードヘッドと、前記各リードヘッドからの出力の和信号を生成する演算手段と、前記演算手段によって生成される和信号が所要の信号の場合に前記情報記録媒体にデータを記憶するライトヘッドとを備える。
【発明の効果】
【０００７】
情報記録媒体のデータ未記憶領域とデータ記憶済み領域とからの読み出し信号の差異に基づき、データ未記憶領域に対してデータの書き込みを行うことができる、一方で、データ記憶済み領域に対してはデータの書き込みを行うことができないようにしているので、データ記憶済み領域にすでに記憶されているデータを改ざん・消去することを防止できる。
【発明を実施するための最良の形態】
【０００８】
（構成の説明）
図１は、本発明の情報記録再生装置のヘッドユニット２０の模式的な構成と情報記録媒体１０の一部の模式的な断面とを示す図である。
【０００９】
図１に示すように、情報記録媒体１０は、位置決め情報格納領域１１と、空き領域１２と、データ格納領域１３とを含む。
【００１０】
位置決め情報格納領域１１は、ヘッドユニット２０によって読み取られる、空き領域１２のアドレスを示す情報等が格納されている。ここには、「０」又は「１」複数で表せる情報列が格納されている。
【００１１】
空き領域１２は、ヘッドユニット２０によってデータが記録される領域（データ未記録）である。ここには、「０」で表せるデータが格納されている。
【００１２】
データ格納領域１３は、ヘッドユニット２０によってデータが記録されている領域（データ記録済み）である。ここには、「０」又は「１」複数で表せるデータ列が格納されている。
【００１３】
また、ヘッドユニット２０は、第１リードヘッド２１と、第２リードヘッド２２と、ライトヘッド２３とを含む。
【００１４】
第１リードヘッド２１は、ヘッドユニット２０本体の移動方向前方に位置する、データ等の読み出しヘッドである。
【００１５】
第２リードヘッド２２は、ヘッドユニット２０本体の移動方向後方に位置する、データ等の読み出しヘッドである。
【００１６】
ライトヘッド２３は、第２リードヘッド２２の後方に位置する、データ等の書き込みヘッドである。ライトヘッド２３は、以下説明する演算手段３０から出力される和信号が「０」又は「１」以外のときには、その和信号は予定していない異常な信号であるため、データ書き込み先への位置づけが不可能となり、データの書き込みができなくなる。
【００１７】
図２は、図１に示すヘッドユニット２０を含む情報記録再生装置の構成を示すブロック図である。図２には、第１リードヘッド２１及び第２リードヘッド２２に加え、第１リードヘッド２１と第２リードヘッド２２との各出力の和信号を生成する演算手段３０とを示している。演算手段３０は、ヘッドユニット２０内外のいずれに備えるようにしてもよい。
【００１８】
（動作の説明）
まず、図１に示す情報記録媒体１０へのデータの書き込み前の動作について説明する。
【００１９】
図１（ａ）は、データ記憶を行う前の空き領域１２が存在している状態を示している。この状態で、例えば、情報記録媒体１０上で、ヘッドユニット２０を、図面矢印方向に移動しながら、情報記録媒体１０の記録情報の読み出しを行った場合には以下のような和信号が、演算手段３０から出力される。
【００２０】
すなわち、図１（ａ）に示すように、空き領域１２上を、第１リードヘッド２１が通過しているときには、第１リードヘッド２１によって、空き領域１２に格納されている「０」で表せるデータが読み出される。
【００２１】
この際、位置決め情報格納領域１１上を、第２リードヘッド２２が通過しており、第２リードヘッド２２によって、位置決め情報格納領域１１に格納されている「０」又は「１」複数で表せる情報列が読み出される。
【００２２】
このように、図１（ａ）に示す態様では、第１リードヘッド２１からは、「０」を示す信号が、演算手段３０に入力される。第２リードヘッド２２からは、「０」又は「１」を示す信号が、演算手段３０に入力される。したがって、演算手段３０からは、「０」又は「１」を示す和信号が出力されることになる。
【００２３】
よって、情報記録媒体１０に、データ格納領域１３が存在せず、位置決め情報格納領域１１と空き領域１２とが存在している場合には、演算手段３０から、「０」又は「１」を示す和信号しか出力されないことになる。
【００２４】
この場合、ライトヘッド２３による、空き領域１２へのデータの書き込みは禁止されておらず、ヘッドユニット２０に対してデータの書き込み命令がされると、ライトヘッド２３によってデータの書き込みが行われる。
【００２５】
つぎに、図１に示す情報記録媒体１０へのデータの書き込み後の動作について説明する。
【００２６】
図１（ｂ）に示すように、空き領域１２のいくつかにライトヘッド２３等によってデータが記憶され、データ格納領域１３が存在している状態で、例えば、情報記録媒体１０上で、ヘッドユニット２０を、図面矢印方向に移動しながら、情報記録媒体１０の記録情報の読み出しを行った場合には以下のような和信号が、演算手段３０から出力される。
【００２７】
すなわち、図１（ｂ）に示すように、データ格納領域１３上を、第１リードヘッド２１が通過しているときには、第１リードヘッド２１によって、データ格納領域１３に格納されている「０」又は「１」で表せるデータ列が読み出される。
【００２８】
この際、図１（ａ）で説明した場合と同様に、位置決め情報格納領域１１上を、第２リードヘッド２２が通過しており、第２リードヘッド２２によって、位置決め情報格納領域１１に格納されている「０」又は「１」複数で表せる情報列が読み出される。
【００２９】
このように、図１（ｂ）に示す態様では、第１リードヘッド２１からは、「０」又は「１」を示す信号が、演算手段３０に入力される。第２リードヘッド２２からも、「０」又は「１」を示す信号が、演算手段３０に入力される。したがって、演算手段３０からは、「０」、「１」又は「２」を示す和信号が出力される等によって、所要の和信号が得られなくなる。
【００３０】
よって、情報記録媒体１０に、空き領域１２が存在せず、位置決め情報格納領域１１とデータ格納領域１３とが存在している場合には、演算手段３０から、「０」又は「１」を示す和信号以外の和信号（異常信号）が出力されることになる。
【００３１】
この場合、ライトヘッド２３では、データの書き込み先への位置づけが不可能となる。したがって、例えば、ヘッドユニット２０に対して例えばコンピュータウィルスによって、データ改ざんのためのデータの書き込み命令がされても、ライトヘッド２３によるデータの書き込みは行われない。
【００３２】
以上説明したように、本実施形態によると、ヘッドユニット２０に対してデータの書き込み命令がされた場合には、空き領域１２に対してデータの書き込みを行うことができる、一方で、データ格納領域１３に対してはデータの書き込みを行うことができないので、既にデータ格納領域１３に格納されているデータ、すなわち情報記録媒体１０に格納されたデータの改ざん・消去等を防止することができる。
【００３３】
なお、位置決め情報格納領域１１と空き領域１２との間に、ライトヘッド２３の書き込みを妨害する妨害情報を格納可能な妨害情報格納領域を設けるとともに、ヘッドユニット２０の第１リードヘッド２１の後方に妨害情報格納領域への妨害情報を格納するための別のライトヘッドを備えることで、上記同様にデータの改ざん等を防止してもよい。
【００３４】
具体的には、そして、空き領域１２に対してライトヘッド２３でデータを書き込みする際に、妨害情報格納領域に対して別のライトヘッドで妨害情報を書き込みする。その後、例えばコンピュータウィルスに基づく情報記録媒体１０からのデータの読み出しが行われようとすると、第２リードヘッド２２によって、位置決め情報格納領域１１に格納されている情報を読み込むときに、第１リードヘッド２１によって、妨害情報格納領域１３に格納されている妨害情報が読み出され、これにより、データ格納領域１３に対して位置決めが行えず、改ざん・消去ができないようになる。
【００３５】
ちなみに、妨害情報格納領域は、位置決め情報格納領域１１及び空き領域１２が形成されているトラックに隣接する隣接トラックに設けるようにしてもよい。この場合、第２リードヘッド２２は、第１リードヘッド２１の隣接トラック側に位置させればよい。
【産業上の利用可能性】
【００３６】
本発明は、光ディスク、磁気ディスク、半導体ディスクなどの情報記録媒体にデータを書き込む、又は情報記録媒体に記録されているデータを読み出す情報記録再生装置に適用することができる。
【図面の簡単な説明】
【００３７】
【図１】本発明の情報記録再生装置のヘッドユニット２０の模式的な構成と情報記録媒体１０の一部の模式的な断面とを示す図である。
【図２】図１に示すヘッドユニット２０を含む情報記録再生装置の構成を示すブロック図である。
【符号の説明】
【００３８】
１０  情報記録媒体
１１  位置決め情報格納領域
１２  空き領域
１３  データ格納領域
２０  ヘッドユニット
２１  第１リードヘッド
２２  第２リードヘッド
２３  ライトヘッド
３０  演算手段
【図１】
2005173883.tif 000003
【図２】
2005173883.tif 000004